(57)【特許請求の範囲】
【請求項１】
複数の処理モードを有し、紙葉類を１枚ずつ取り込む取り込み部と、取り込まれた前記紙葉類を搬送する搬送部と、バッチカードの種類を識別するバッチカード識別部と、前記紙葉類を識別する紙葉類識別部と、計数結果を記憶する記憶部と、前記紙葉類の識別の結果に基づいて、前記紙葉類を集積庫に区分する区分処理部と、を具備する紙葉類処理装置の紙葉類処理方法であって、
前記取り込み部は、識別情報を有する第１のバッチカードと被検査媒体とが重ねられた第１の紙葉類束と、前記第１の紙葉類束の間に挿入され且つキャリブレーションを示す１対の第２のバッチカードと前記１対の第２のバッチカードの間に挿入された複数のキャリブレーションカードとが重ねられた第２の紙葉類束とから紙葉類を１枚ずつ取り込み、
前記バッチカード識別部は、前記第１の紙葉類束に重ねられた前記第１のバッチカードの種類、及び前記第２の紙葉類束に重ねられた前記第２のバッチカードがキャリブレーションを示すことをそれぞれ識別し、
前記紙葉類識別部は、前記第１のバッチカードの種類を識別すると、処理モードを前記第１のバッチカードの種類に対応した処理モードに切り替えて前記第１のバッチカードを含む前記第１の紙葉類束の前記被検査媒体を識別及び計数し、前記１対の第２のバッチカードの一方を識別すると、前記第１の紙葉類束の前記被検査媒体の識別及び計数の結果を退避させ、処理モードを前記第２のバッチカードが示すキャリブレーションに切り替え、前記１対の第２のバッチカードの間に挿入された複数の前記キャリブレーションカードに基づくキャリブレーションを行い、前記１対の第２のバッチカードの他方を識別すると、処理モードを前記第１のバッチカードの種類に対応した処理モードに戻し、退避させた前記第１の紙葉類束の前記被検査媒体の識別及び計数の結果を呼び出し、前記第１の紙葉類束の前記被検査媒体の識別及び計数を再開し、
前記記憶部は、前記第１の紙葉類束の前記被検査媒体の計数の結果を前記第１のバッチカードの前記識別情報に対応付けて記憶し、
前記区分処理部は、前記紙葉類の識別の結果に基づいて、前記紙葉類を集積庫に区分する、
紙葉類処理方法。
【請求項２】
前記バッチカード識別部は、前記第１及び第２のバッチカードの色をそれぞれ検出し、前記第１及び第２のバッチカードの色に基づいて前記第１及び第２のバッチカードの種類をそれぞれ識別する請求項１に記載の紙葉類処理方法。
【請求項３】
前記バッチカード識別部は、前記第１及び第２のバッチカードの穿孔の数をそれぞれ検出し、前記第１及び第２のバッチカードの穿孔の数に基づいて前記第１及び第２のバッチカードの種類をそれぞれ識別する請求項１に記載の紙葉類処理方法。
【請求項４】
複数の処理モードを有する紙葉類処理装置であって、
識別情報を有する第１のバッチカードと被検査媒体とが重ねられた第１の紙葉類束と、前記第１の紙葉類束の間に挿入され且つキャリブレーションを示す１対の第２のバッチカードと前記１対の第２のバッチカードの間に挿入された複数のキャリブレーションカードとが重ねられた第２の紙葉類束とから紙葉類を１枚ずつ取り込む取り込み部と、
取り込まれた前記紙葉類を搬送する搬送部と、
前記第１の紙葉類束に重ねられた前記第１のバッチカードの種類、及び前記第２の紙葉類束に重ねられた前記第２のバッチカードがキャリブレーションを示すことをそれぞれ識別するバッチカード識別部と、
前記第１のバッチカードの種類を識別すると、処理モードを前記第１のバッチカードの種類に対応した処理モードに切り替えて前記第１のバッチカードを含む前記第１の紙葉類束の前記被検査媒体を識別及び計数し、
前記１対の第２のバッチカードの一方を識別すると、前記第１の紙葉類束の前記被検査媒体の識別及び計数の結果を退避させ、処理モードを前記第２のバッチカードが示すキャリブレーションに切り替え、前記１対の第２のバッチカードの間に挿入された複数の前記キャリブレーションカードに基づくキャリブレーションを行い、前記１対の第２のバッチカードの他方を識別すると、処理モードを前記第１のバッチカードの種類に対応した処理モードに戻し、退避させた前記第１の紙葉類束の前記被検査媒体の識別及び計数の結果を呼び出し、前記第１の紙葉類束の前記被検査媒体の識別及び計数を再開する紙葉類識別部と、
前記第１の紙葉類束の前記被検査媒体の計数の結果を前記第１のバッチカードの前記識別情報に対応付けて記憶する記憶部と、
前記紙葉類の識別の結果に基づいて、前記紙葉類を集積庫に区分する区分処理部と、
を具備する紙葉類処理装置。
【請求項５】
複数の処理モードを有する紙葉類処理装置と前記紙葉類処理装置による計数結果を記憶するサーバとを備える紙葉類処理システムであって、
前記紙葉類処理装置は、
識別情報を有する第１のバッチカードと被検査媒体とが重ねられた第１の紙葉類束と、前記第１の紙葉類束の間に挿入され且つキャリブレーションを示す１対の第２のバッチカードと前記１対の第２のバッチカードの間に挿入された複数のキャリブレーションカードとが重ねられた第２の紙葉類束とから紙葉類を１枚ずつ取り込む取り込み部と、
取り込まれた前記紙葉類を搬送する搬送部と、
前記第１の紙葉類束に重ねられた前記第１のバッチカードの種類、及び前記第２の紙葉類束に重ねられた前記第２のバッチカードがキャリブレーションを示すことをそれぞれ識別するバッチカード識別部と、
前記第１のバッチカードの種類を識別すると、処理モードを前記第１のバッチカードの種類に対応した処理モードに切り替えて前記第１のバッチカードを含む前記第１の紙葉類束の前記被検査媒体を識別及び計数し、
前記１対の第２のバッチカードの一方を識別すると、前記第１の紙葉類束の前記被検査媒体の識別及び計数の結果を退避させ、処理モードを前記第２のバッチカードが示すキャリブレーションに切り替え、前記１対の第２のバッチカードの間に挿入された複数の前記キャリブレーションカードに基づくキャリブレーションを行い、前記１対の第２のバッチカードの他方を識別すると、処理モードを前記第１のバッチカードの種類に対応した処理モードに戻し、退避させた前記第１の紙葉類束の前記被検査媒体の識別及び計数の結果を呼び出し、前記第１の紙葉類束の前記被検査媒体の識別及び計数を再開する紙葉類識別部と、
前記第１の紙葉類束の前記被検査媒体の計数の結果を前記第１のバッチカードの前記識別情報に対応付けて記憶する記憶部と、
を具備し、
前記サーバは、
前記紙葉類処理装置から送信された検査結果を受信する受信部と、
検査結果を記憶する記憶部と、
を具備する紙葉類処理システム。
【発明の詳細な説明】
【技術分野】
【０００１】
本発明の実施形態は、紙葉類処理方法、紙葉類処理装置、及び紙葉類処理システムに関する。
【背景技術】
【０００２】
従来、例えば紙葉類の計数及び判別を行う紙葉類処理装置が実用化されている。紙葉類処理装置は、投入部に投入された紙葉類を１枚ずつ取り込み、紙葉類の検査装置に搬送する。検査装置は、紙葉類に対して種々の処理を行い紙葉類の券種、汚損度、及び真偽などを判別する。
【０００３】
また、計数の結果をより効率的に処理する為に、紙葉類処理装置は、識別番号が印刷されたバッチカードを処理する。紙葉類処理装置は、計数結果をバッチカードの識別番号に対応付けることができる。
【先行技術文献】
【特許文献】
【０００４】
【特許文献１】特開２００６−９９３９１号公報
【発明の概要】
【発明が解決しようとする課題】
【０００５】
紙葉類処理装置は、例えば、全正モード、通常モード、全損モード、及び保守モードなどの処理モードを有する。しかし、従来の紙葉類処理装置は、処理モードを切り替える為、紙葉類処理装置を停止させる必要があるという課題がある。
【０００６】
本発明の目的は、より効率的に紙葉類を処理することができる紙葉類処理方法、紙葉類処理装置、及び紙葉類処理システムを提供することである。
【課題を解決するための手段】
【０００７】
一実施形態に係る紙葉類処理方法は、複数の処理モードを有し、紙葉類を１枚ずつ取り込む取り込み部と、取り込まれた前記紙葉類を搬送する搬送部と、バッチカードの種類を識別するバッチカード識別部と、前記紙葉類を識別する紙葉類識別部と、計数結果を記憶する記憶部と、前記紙葉類の識別の結果に基づいて、前記紙葉類を集積庫に区分する区分処理部と、を具備する紙葉類処理装置の紙葉類処理方法であって、前記取り込み部は、識別情報を有する第１のバッチカードと被検査媒体とが重ねられた第１の紙葉類束と、前記第１の紙葉類束の間に挿入され且つキャリブレーションを示す１対の第２のバッチカードと前記１対の第２のバッチカードの間に挿入された複数のキャリブレーションカードとが重ねられた第２の紙葉類束とから紙葉類を１枚ずつ取り込み、前記バッチカード識別部は、前記第１の紙葉類束に重ねられた前記第１のバッチカードの種類、及び前記第２の紙葉類束に重ねられた前記第２のバッチカードがキャリブレーションを示すことをそれぞれ識別し、前記紙葉類識別部は、前記第１のバッチカードの種類を識別すると、処理モードを前記第１のバッチカードの種類に対応した処理モードに切り替えて前記第１のバッチカードを含む前記第１の紙葉類束の前記被検査媒体を識別及び計数し、前記１対の第２のバッチカードの一方を識別すると、前記第１の紙葉類束の前記被検査媒体の識別及び計数の結果を退避させ、処理モードを前記第２のバッチカードが示すキャリブレーションに切り替え、前記１対の第２のバッチカードの間に挿入された複数の前記キャリブレーションカードに基づくキャリブレーションを行い、前記１対の第２のバッチカードの他方を識別すると、処理モードを前記第１のバッチカードの種類に対応した処理モードに戻し、退避させた前記第１の紙葉類束の前記被検査媒体の識別及び計数の結果を呼び出し、前記第１の紙葉類束の前記被検査媒体の識別及び計数を再開し、前記記憶部は、前記第１の紙葉類束の前記被検査媒体の計数の結果を前記第１のバッチカードの前記識別情報に対応付けて記憶し、前記区分処理部は、前記紙葉類の識別の結果に基づいて、前記紙葉類を集積庫に区分する、紙葉類処理方法。
【図面の簡単な説明】
【０００８】
【図１】図１は、一実施形態に係る紙葉類検査システムについて説明する為の図である。
【図２】図２は、一実施形態に係る紙葉類処理装置について説明する為の図である。
【図３】図３は、一実施形態に係る紙葉類処理装置について説明する為の図である。
【図４】図４は、一実施形態に係る紙葉類処理装置について説明する為の図である。
【図５】図５は、一実施形態に係る紙葉類処理装置について説明する為の図である。
【図６】図６は、一実施形態に係るバッチカードについて説明する為の図である。
【図７】図７は、一実施形態に係る紙葉類処理装置について説明する為の図である。
【図８】図８は、一実施形態に係る保守用カードについて説明する為の図である。
【図９】図９は、一実施形態に係る紙葉類処理装置について説明する為の図である。
【図１０】図１０は、一実施形態に係る紙葉類処理装置について説明する為の図である。
【図１１】図１１は、一実施形態に係るバッチカードについて説明する為の図である。
【発明を実施するための形態】
【０００９】
以下、図面を参照しながら紙葉類の紙葉類処理方法、紙葉類処理装置、及び紙葉類処理システムの実施形態について、詳細に説明する。  
図１は、一実施形態に係る紙葉類処理システム１の構成の例を示す。  
紙葉類処理システム１は、少なくとも１台以上の紙葉類処理装置１００、再検査装置２００、及びサーバ３００を備える。紙葉類処理装置１００、再検査装置２００、及びサーバ３００は、ネットワークを介して互いにデータを送受信可能な状態で接続されている。
【００１０】
紙葉類処理装置１００は、投入された複数枚の紙葉類（被検査媒体）を一枚ずつ高速で取り込み、取り込んだ紙葉類の券種（ｃａｔｅｇｏｒｙ）、正損（ｆｉｔｎｅｓｓ）、及び真偽（ａｕｔｈｅｎｔｉｃａｔｉｏｎ）などを検査する。また、紙葉類処理装置１００は、紙葉類を計数する。さらに、紙葉類処理装置１００は、検査済みの再使用可能な紙葉類を結束して排出する。
【００１１】
また、紙葉類処理装置１００は、各紙葉類毎に再検査が必要であるか否か判断する。紙葉類処理装置１００は、再検査が必要であると判断された紙葉類を排除券として排出する。
【００１２】
なお、紙葉類処理装置１００は、紙葉類の束に重ねられたバッチカードを処理する。バッチカードには、固有の識別情報（ＩＤ）がバーコード、二次元コードまたは他の方法により印刷されている。紙葉類処理装置１００は、バッチカードの画像を読み取り、バッチカードの識別情報を認識することができる。
【００１３】
紙葉類処理装置１００は、紙葉類の計数結果と、バッチカードの識別情報とを検査結果として対応付ける。紙葉類処理装置１００は、検査結果をサーバ３００に送信する。
【００１４】
また、紙葉類処理装置１００は、バッチカードを排除券として排出する。即ち、紙葉類処理装置１００は、再検査が必要であると判断された紙葉類と、バッチカードとの束を排除券として排出する。
【００１５】
サーバ３００は、紙葉類処理装置１００から送信された検査結果にインデックスを付し、サーバ３００内の記憶媒体に格納する。
【００１６】
また、紙葉類処理装置１００、及び再検査装置２００を操作するオペレータは、紙葉類処理装置１００から排出された排除券を再検査装置２００に投入する。再検査装置２００は、投入された排除券を再検査する。
【００１７】
再検査装置２００は、紙葉類の計数結果と、バッチカードの識別情報とを再検査結果として対応付ける。再検査装置２００は、対応付けられた再検査結果をサーバ３００に送信する。
【００１８】
サーバ３００は、再検査装置２００から送信された再検査結果を紙葉類処理装置１００から送信された検査結果に組み合わせ、組み合わされた検査結果をサーバ３００内の記憶媒体に格納する。例えば、サーバ３００は、再検査結果を、再検査結果に含まれている識別情報と一致する識別情報を含む検査結果に加算する。
【００１９】
図２は、一実施形態に係る紙葉類処理装置１００の外観を示す。  
図２に示すように、紙葉類処理装置１００は、装置外部に、投入部１１２、操作部１３６、操作表示部１３７、ドア１３８、取出口１３９、及びキーボード１４０を備えている。
【００２０】
投入部１１２は、紙葉類Ｐを投入するための構成である。投入部１１２は、重ねられた状態の紙葉類Ｐをまとめて受け入れる。なお、上記したように、紙葉類Ｐの束には、バッチカードが重ねられている。
【００２１】
操作部１３６は、オペレータによる各種操作入力を受け付ける。操作表示部１３７は、オペレータに対して各種の操作案内、及び処理結果などを表示する。なお、操作表示部１３７は、タッチパネルとして構成されていてもよい。この場合、紙葉類処理装置１００は、操作表示部１３７に表示されるボタンと、操作表示部１３７に対するオペレータによる操作と、に基づいて、各種の操作入力を検知する。
【００２２】
ドア１３８は、投入部１１２の投入口を開閉する為のドアである。取出口１３９は、紙葉類処理装置１００により再流通不可と判断された紙葉類Ｐがスタックされる集積部から紙葉類Ｐを取り出す為の構成である。キーボード１４０は、オペレータによる各種操作入力を受け付ける入力部として機能する。
【００２３】
図３は、図２の紙葉類処理装置１００の構成例を示す。  
紙葉類処理装置１００は、装置内部に、バッチカード検知部１１１、投入部１１２、取出部１１３、吸着ローラ１１４、搬送路１１５、検査部１１６、ゲート１２０乃至１２５、排除搬送路１２６、排除集積部１２７、集積・結束部１２８乃至１３１、裁断部１３３、及びスタッカ１３４を備える。また、紙葉類処理装置１００は、主制御部１５１を備える。主制御部１５１は、紙葉類処理装置１００の各部の動作を統合的に制御する。
【００２４】
取出部１１３は、投入部の上部に設けられる。取出部１１３は、吸着ローラ１１４を備えている。吸着ローラ１１４は、投入部１１２にセットされた紙葉類Ｐを集積方向の上端に接するように設けられている。即ち、吸着ローラ１１４は、回転することにより、投入部１１２にセットされた紙葉類Ｐを集積方向の上端から１枚ずつ装置内部に取り込む。吸着ローラ１１４は、たとえば、１回転するごとに１枚の紙葉類Ｐを取出すように機能する。これにより、吸着ローラ１１４は、紙葉類Ｐを一定のピッチで取出す。吸着ローラ１１４により取り込まれた紙葉類Ｐは、搬送路１１５に導入される。また、吸着ローラ１１４は、例えば真空ポンプによる吸引力を使って紙葉類の表面に吸着して取り出す吸着ロータを備える構成であってもよい。
【００２５】
バッチカード検知部１１１は、バッチカードの種類を判別するセンサである。バッチカード検知部１１１は、例えば、色を認識するセンサを備える。例えば、バッチカード検知部１１１は、「赤」、「青」、「緑」、「黄」、及び「白」などの色を認識することができる。バッチカード検知部１１１は、吸着ローラ１１４により紙葉類Ｐを取り込む前に、紙葉類Ｐの色を検知する。バッチカード検知部１１１は、検知結果を主制御部１５１に供給する。これにより、紙葉類処理装置１００は、紙葉類Ｐがバッチカードであるのか否か、及びバッチカードの種類を識別することができる。
【００２６】
搬送路１１５は、紙葉類Ｐを紙葉類処理装置１００内の各部に搬送する。搬送路１１５は、図示しない搬送ベルト及び駆動プーリなどを備えている。搬送路１１５は、図示しない駆動モータ及び駆動プーリにより搬送ベルトを動作させる。搬送路１１５は、吸着ローラ１１４により取り込まれた紙葉類Ｐを搬送ベルトにより一定速度で搬送する。なお、搬送路１１５における取出部１１３に近い側を上流側、スタッカ１３４に近い側を下流側として説明する。
【００２７】
取出部１１３から延びた搬送路１１５上には、検査部１１６が設けられている。検査部１１６は、画像読取装置１１７、画像読取装置１１８、及び厚み検査部１１９を備えている。検査部１１６は、紙葉類Ｐの光学的特徴情報、機械的特徴、及び磁気的特長情報を検出する。これにより、紙葉類処理装置１００は、紙葉類Ｐの種類（券種）、汚損度、及び真偽などを検知する。
【００２８】
画像読取装置１１７、及び１１８は、それぞれ搬送路１１５を挟んで対面するように設けられている。画像読取装置１１７、及び１１８は、搬送路１１５を搬送される紙葉類Ｐの両面の画像を読み取る。画像読取装置１１７、及び１１８は、それぞれ、Ｃｈａｒｇｅ
Ｃｏｕｐｌｅｄ  Ｄｅｖｉｃｅ（ＣＣＤ）またはＣｏｍｐｌｉｍｅｎｔａｒｙ  Ｍｅｔａｌ  Ｏｘｉｄｅ  Ｓｅｍｉｃｏｎｄｕｃｔｏｒ（ＣＭＯＳ）などの受光素子が複数配列された構成と光学系とを備える。受光素子は、受光した光を電気信号、即ち画像に変換する。光学系は、例えばレンズ、または導光部材などの、光を受光し、受光した光を受光素子に結像させる構成を備える。
【００２９】
紙葉類処理装置１００は、画像読取装置１１７、及び１１８により撮像した画像に基づいて、紙葉類Ｐの表面及び裏面の模様画像を取得する。また、画像読取装置１１７、及び１１８は、バッチカードに印字された識別情報を含む画像（バッチカード画像）を取得し、取得した画像を主制御部１５１に送信する。
【００３０】
画像読取装置１１７、及び１１８は、読み取った画像を検査部１１６内の図示しないメモリに一時的に記憶する。紙葉類処理装置１００は、このメモリに記憶されている画像を操作入力に応じて操作表示部１３７に表示することができる。
【００３１】
厚み検査部１１９は、搬送路１１５を搬送される紙葉類Ｐの厚みを検査する。例えば、検出した厚みが規定値以上である場合、紙葉類処理装置１００は、紙葉類Ｐの２枚取りを検出する。
【００３２】
また、検査部１１６は、図示しない磁性検査部などを備えている。磁性検査部は、紙葉類Ｐの磁気的な特徴情報を検出する。また、検査部１１６は、図示しない蛍光検査部などを備えている。蛍光検査部は、紙葉類Ｐの蛍光画像を検出する。
【００３３】
主制御部１５１は、画像読取装置１１７、１１８、厚み検査部１１９、及び磁気センサなどによる検出結果に基づいて、各種の判別を行う。例えば、主制御部１５１は、紙葉類Ｐの券種（ｄｅｎｏｍｉｎａｔｉｏｎ）またはカテゴリを判定する。
【００３４】
また、主制御部１５１は、紙葉類Ｐの真偽（ａｕｔｈｅｎｔｉｃａｔｉｏｎ）を判定する。すなわち、主制御部１５１は、紙葉類Ｐが真券(ｇｅｎｕｉｎｅ)であるか、偽券(ｃｏｕｎｔｅｒｆｅｉｔ)であるかを判定する。
【００３５】
また、主制御部１５１は、紙葉類Ｐの正損（ｆｉｔｎｅｓｓ）を検知する。即ち、主制御部１５１は、紙葉類Ｐが再流通可能な正券（ｆｉｔ  ｓｈｅｅｔ）であるか、再流通不可能な損券（ｕｎｆｉｔ  ｓｈｅｅｔ）であるかを判定する。
【００３６】
さらに、主制御部１５１は、紙葉類Ｐが排除券であるか否か判定する。すなわち、主制御部１５１は、偽券と判定された紙葉類Ｐ、または厚み検査部１１９により重なりが検知された紙葉類Ｐ、または判別が不可能であった紙葉類Ｐを排除券と判定する。例えば、主制御部１５１は、バッチカードを排除券と判定する。
【００３７】
また、主制御部１５１は、搬送経路中で前の紙葉類Ｐと後ろの紙葉類Ｐとの間隔が短い為に各検出器による検出が正しく行われないショートピッチが発生した紙葉類Ｐを排除券と判定する。
【００３８】
紙葉類処理装置１００は、正券と判定した紙葉類Ｐを集積・結束部１２８乃至１３１に搬送する。また、紙葉類処理装置１００は、損券と判定した紙葉類Ｐを裁断部１３３に搬送する。裁断部１３３は、搬送される損券を裁断する。なお、紙葉類処理装置１００は、損券をスタッカ１３４に搬送し集積してもよい。例えば、スタッカ１３４は、集積した損券が例えば１００枚に到達するごとに施封を行う。
【００３９】
紙葉類処理装置１００は、排除券と判定した紙葉類Ｐを排除集積部１２７に搬送する。排除券は、例えば、２枚取り券などの搬送異常券、折れまたは破れなどが存在する不良券、及び適用外券種または偽券などの判別不能券を含む。また、紙葉類処理装置１００は、紙葉類Ｐ及び紙葉類Ｐの間に挿入されたバッチカードを排除券として排除集積部１２７に搬送する。
【００４０】
検査部１１６の下流側の搬送路１１５上には、ゲート１２０乃至１２５が順に配設されている。ゲート１２０乃至１２５は、それぞれ、主制御部１５１により制御される。主制御部１５１は、検査部１１６による検査の結果に基づいて各ゲート１２０乃至１２５の動作を制御する。これにより、主制御部１５１は、搬送路１１５を搬送されている紙葉類Ｐを所定の処理部に搬送するように制御する。
【００４１】
検査部１１６の直後に配設されたゲート１２０は、搬送路１１５を排除搬送路１２６に分岐する。即ち、ゲート１２０は、検査部１１６による検査の結果、真券ではないと判定された排除券、または、検査部１１６による検査を行うことができない検査不能券等を排除搬送路１２６に搬送するように切り替えられる。
【００４２】
排除搬送路１２６の終端部には、排除集積部（排除部）１２７が設けられている。排除集積部１２７は、取出部１１３にて取出した姿勢のまま、上記したような排除券、及び検査不能券を集積する。排除集積部１２７に集積された紙葉類Ｐは、取出口１３９から取り出すことができる。
【００４３】
また、ゲート１２１乃至１２４により分岐される先には、集積・結束部１２８乃至１３１（総じて集積結束部１３２と称する）がそれぞれ設けられている。集積・結束部１３２には、再流通可能であると判定された紙葉類Ｐが券種及び表裏毎に区別されて集積される。集積・結束部１３２は、集積した紙葉類Ｐを所定枚数毎に結束して格納する。
【００４４】
ゲート１２５により分岐される先には、裁断部１３３が配設されている。裁断部１３３は、紙葉類Ｐを裁断して収納する。ゲート１２５に搬送される紙葉類Ｐは、正規の紙葉類Ｐであり、且つ、再流通が不可能であると判定された紙葉類Ｐ（損券）である。
【００４５】
また、ゲート１２５により分岐される他方の搬送路の先には、スタッカ１３４が配設されている。主制御部１５１は、損券裁断モードが選択されている場合、紙葉類Ｐを裁断部１３３に搬送するようにゲート１２５を制御する。また、主制御部１５１は、損券裁断モードが選択されていない場合、紙葉類Ｐをスタッカ１３４に搬送するようにゲート１２５を制御する。
【００４６】
なお、オペレータは、操作部１３６、操作表示部１３７、及びキーボード１４０などを操作することにより、紙葉類処理装置１００に処理させる紙葉類Ｐの種類（券種）を任意で設定させることができる。
【００４７】
図４は、図２及び図３の紙葉類処理装置１００の制御系の構成例を示す。  
紙葉類処理装置１００は、主制御部１５１、バッチカード検知部１１１、検査部１１６、搬送制御部１５２、裁断制御部１５６、操作表示部１３７、キーボード１４０、などを備える。また、紙葉類処理装置１００は、プリンタ１４１、ＵＳＢハブ１６１、トランスポートコントローラ１６２、バンダーコントローラ１６３、及び検知コントローラ１６４などを備える。
【００４８】
主制御部１５１は、紙葉類処理装置１００の全体的な制御を司る。主制御部１５１は、例えば、ＰＣ（パーソナルコンピュータ）等の一部により実現することができる。
【００４９】
主制御部１５１は、操作表示部１３７により入力される操作、及び検査部１１６による検査結果に基づき、搬送制御部１５２及び裁断制御部１５６を制御する。また、主制御部１５１は、バッチカード検知部１１１による検知結果に基づき、紙葉類処理装置１００の処理モードを切り替える。また、主制御部１５１は、検査結果などをプリンタ１４１により帳票として出力することができる。さらに、主制御部１５１は、検査結果をＬＡＮなどのネットワークを介してサーバ３００に送信することができる。
【００５０】
また、主制御部１５１には、ＵＳＢハブ１６１が接続されている。また、ＵＳＢハブ１６１には、トランスポートコントローラ１６２、バンダーコントローラ１６３、及び検知コントローラ１６４などが接続されている。
【００５１】
主制御部１５１は、トランスポートコントローラ１６２を介して、搬送制御部１５２、裁断制御部１５６、及び取出部１１３などの動作を制御することができる。また、主制御部１５１は、バンダーコントローラ１６３を介して、集積・結束部１２８乃至１３１の動作を制御することができる。また、主制御部１５１は、検知コントローラ１６４を介して、検査部１１６の各検出機器及びバッチカード検知部１１１の動作を制御することができる。
【００５２】
例えば、操作員は、操作表示部１３７またはキーボード１４０により、処理する紙葉類Ｐに対する各種の判定における処理項目毎の閾値、及び処理方法などを入力する。
【００５３】
バッチカード検知部１１１は、上記したように、取り込んだ紙葉類Ｐの色を検知する。検査部１１６は、上記したように、画像読取装置１１７、及び１１８、及び厚み検査部１１９などを備える。
【００５４】
搬送制御部１５２は、主制御部１５１の制御に基づき、取出部１１３、搬送路１１５、排除搬送路１２６、及びゲート１２０乃至１２５を制御する。これにより、搬送制御部１５２は、紙葉類Ｐの取り込み及び搬送を制御する。また、搬送制御部１５２は、判定した紙葉類Ｐの券種毎に区分する区分処理を行う。即ち、搬送制御部１５２は、区分処理部として機能する。
【００５５】
例えば、搬送制御部１５２は、損券と判定された紙葉類Ｐを裁断部１３３、またはスタッカ１３４に搬送するようにゲート１２０乃至１２５を制御する。また、搬送制御部１５２は、排除券と判定された紙葉類Ｐ、及びバッチカードを排除集積部１２７に搬送するようにゲート１２０乃至１２５を制御する。
【００５６】
バンダーコントローラ１６３は、主制御部１５１の制御に基づき、排除集積部１２７及び集積・結束部１２８乃至１３１を制御する。これにより、バンダーコントローラ１６３は、紙葉類Ｐの集積、及び結束の制御を行なう。
【００５７】
裁断制御部１５６は、主制御部１５１の制御に基づき、裁断部１３３の動作を制御する。これにより、裁断部１３３は、搬送される紙葉類Ｐの裁断を行う。
【００５８】
また、主制御部１５１は、画像読取装置１１７及び１１８により取得されたバッチカードの識別情報の画像に基づいて、バッチカードの識別情報を認識することができる。
【００５９】
なお、主制御部１５１は、集積・結束部１３２または裁断部１３３に搬送された紙葉類Ｐの計数結果と、バッチカードの識別情報とを対応付けて検査結果として記憶する。また、主制御部１５１は、検査結果をサーバ３００に送信する。
【００６０】
また、主制御部１５１は、検査部１１６の各検査器による検査項目毎の閾値を予め記憶するメモリ１５１ａを備える。主制御部１５１は、検査部１１６の各検査器により検出された検出値と、メモリ１５１ａに記憶されている閾値とを比較し、比較結果に基づいて紙葉類Ｐの券種、真偽、正損、紙葉類Ｐが排除券であるか否かなどを判定する。
【００６１】
なお、メモリ１５１ａに記憶されている閾値は、操作部１３６、操作表示部１３７、及びキーボード１４０などに対する入力に基づいて変更されてもよい。
【００６２】
また、主制御部１５１は、紙葉類Ｐの計数結果と、バッチカードの識別情報とを対応付けた検査結果を記憶するメモリ１５１ｂを備える。
【００６３】
なお、紙葉類処理装置１００は、全正モード、通常モード、全損モード、及び保守モードなどの処理モードを有する。通常モードで処理を行う場合、紙葉類処理装置１００は、紙葉類Ｐの正損を判定する。全正モードで処理を行う場合、紙葉類処理装置１００は、すべての紙葉類Ｐを正券であると判定する。また、全損モードで処理を行う場合、紙葉類処理装置１００は、すべての紙葉類Ｐを損券であると判定する。保守モードで処理を行う場合、紙葉類処理装置１００は、紙葉類Ｐから検知した検知結果に基づいて、検査部１１６の各構成の動作を修正（キャリブレーション）する。
【００６４】
また、図４に示されるように、サーバ３００は、制御部３１０、通信部３２０、及びストレージ３３０を備える。
【００６５】
制御部３１０は、サーバ３００の各部の動作を制御する制御部として機能する。制御部３１０は、ＣＰＵ３１１、ＲＯＭ３１２、及びＲＡＭ３１３などを備えている。制御部３１０は、通信部３２０を介して入力された情報に基づいて種々の処理を行う。
【００６６】
ＣＰＵ３１１は、種々の演算処理を実行する演算素子などを備える。ＣＰＵ３１１は、ＲＯＭ３１２に記憶されているプログラムを実行することにより種々の機能を実現する。ＲＯＭ３１２は、サーバ３００を制御する為のプログラム、及び各種の機能を実現する為のプログラムなどを記憶する。ＲＡＭ３１３は、ＣＰＵ３１１のワークメモリとして機能する。即ち、ＲＡＭ３１３は、ＣＰＵ３１１の演算結果、ＣＰＵ３１１により読み込まれたデータなどを記憶する。
【００６７】
通信部３２０は、ＬＡＮによりインターネットなどのネットワーク上の他の機器と通信を行なうことができる。これにより、サーバ３００は、ネットワーク上に設置された紙葉類処理装置１００と通信することができる。
【００６８】
ストレージ３３０は、ハードディスクドライブ（ＨＤＤ）、ソリッドステイトドライブ（ＳＳＤ）、または他の記憶装置を備える。制御部３１０は、通信部３２０を介して受け取った種々の情報をストレージ３３０に記憶させることができる。
【００６９】
上記したように、サーバ３００は、紙葉類処理装置１００から送信された検査結果をストレージ３３０に記憶する。またさらに、サーバ３００は、再検査装置２００から送信された再検査結果を紙葉類処理装置１００から送信された検査結果に組み合わせ、組み合わされた検査結果をストレージ３３０に記憶する。
【００７０】
図５乃至図８は、バッチカード、紙葉類Ｐの束、及び保守用のキャリブレーションカード（修正用カード）の例を示す。図５は、紙葉類Ｐの束５５の例を示す。図６は、バッチカード５３の例を示す。図７は、複数の束５５の例を示す。図８は、キャリブレーションカードの例を示す。  
図５に示されるように、紙葉類Ｐの束５５は、所定の枚数（例えば１０００枚）の紙葉類Ｐと、バッチカード５３とが重ねられたものである。例えば、紙葉類Ｐの束５５は、バッチカード５３が複数枚の紙葉類Ｐの上に重ねられて束ねられる。即ち、紙葉類Ｐの束５５は、バッチカード５３、所定の枚数（例えば１０００枚）の紙葉類Ｐの順で束ねられる。
【００７１】
バッチカード５３は、紙葉類Ｐと同一の外径寸法、あるいは、紙葉類Ｐよりも大きな外径寸法に形成され、且つ表面または裏面に識別情報を示す印刷が施された紙葉類である。
【００７２】
図６に示されるように、バッチカード５３は、例えば、券面が緑色であるバッチカード５３Ａ、券面が黄色であるバッチカード５３Ｂ、券面が赤色であるバッチカード５３Ｃ、及び券面が青色であるバッチカード５３Ｄなどの券面の色が異なる複数の種類がある。なお、バッチカード５３Ａ乃至バッチカード５３Ｄを総じてバッチカード５３を称する。各バッチカード５３は、識別情報がコード化されたバーコード５３１、及び識別情報を示す文字列５３２などの印刷を有する。また、各バッチカード５３の裏面にもバーコード５３１、及び文字列５３２などが印刷されている。
【００７３】
紙葉類処理装置１００の主制御部１５１は、バッチカード画像のバーコード５３１または文字列５３２を解析することにより、バッチカード５３の識別情報を取得することができる。なお、バッチカード５３の識別情報は、バーコードに限らず二次元コードまたは他の方法によりコード化されて印刷されてもよい。なお、バッチカード５３は、紙葉類処理装置１００または再検査装置２００によりバッチカード５３であることが識別可能なパターンが印刷されている。
【００７４】
紙葉類処理装置１００は、取り込んだ紙葉類Ｐがバッチカードであるか否かを識別することができる。さらに、紙葉類処理装置１００は、バッチカード検知部１１１によりバッチカードの種類を識別することができる。即ち、紙葉類処理装置１００は、取り込み前に紙葉類がバッチカード５３Ａ、５３Ｂ、５３Ｃ、５３Ｄ、または検査対象である紙葉類Ｐであるかを認識することができる。
【００７５】
例えば、紙葉類処理装置１００は、取り込んだ紙葉類の色が緑色である場合、バッチカード５３Ａを取り込んだことを認識する。また、紙葉類処理装置１００は、取り込んだ紙葉類の色が黄色である場合、バッチカード５３Ｂを取り込んだことを認識する。紙葉類処理装置１００は、取り込んだ紙葉類の色が赤色である場合、バッチカード５３Ｃを取り込んだことを認識する。紙葉類処理装置１００は、取り込んだ紙葉類の色が青色である場合、バッチカード５３Ｄを取り込んだことを認識する。
【００７６】
紙葉類処理装置１００は、バッチカード５３Ａを取り込んだことを認識した場合、全正モードで紙葉類を処理する。また、紙葉類処理装置１００は、バッチカード５３Ｂを取り込んだことを認識した場合、通常モードで紙葉類を処理する。また、紙葉類処理装置１００は、バッチカード５３Ｃを取り込んだことを認識した場合、全損モードで紙葉類を処理する。また、紙葉類処理装置１００は、バッチカード５３Ｄを取り込んだことを認識した場合、保守モードで紙葉類を処理する。
【００７７】
図７は、紙葉類処理装置１００に投入される紙葉類の束５５の例を示す。束５５Ａは、券面が緑色であるバッチカード５３Ａが重ねられた紙葉類Ｐの束である。束５５Ｂは、券面が黄色であるバッチカード５３Ｂが重ねられた紙葉類Ｐの束である。束５５Ｃは、券面が赤色であるバッチカード５３Ｃが重ねられた紙葉類Ｐの束である。束５５Ｄは、券面が青色であるバッチカード５３Ｄが重ねられたキャリブレーションカード５６の束である。
【００７８】
紙葉類処理装置１００は、バッチカード５３Ａを検出した場合、全正モードで紙葉類を処理する。即ち、紙葉類処理装置１００は、束５５Ａを全正モードで処理する。この場合、紙葉類処理装置１００は、束５５Ａ内の紙葉類Ｐの真偽及び正損を識別し、真券であり正券である紙葉類Ｐの枚数を計数する。なお、紙葉類処理装置１００は、全正モードで動作する場合、正券を所定枚数毎に施封し、排除券、損券、及びバッチカード５３Ａを排除する。
【００７９】
また、紙葉類処理装置１００は、バッチカード５３Ｂを取り込んだことを認識した場合、通常モードで紙葉類を処理する。即ち、紙葉類処理装置１００は、束５５Ｂを通常モードで処理する。この場合、紙葉類処理装置１００は、束５５Ｂ内の紙葉類Ｐの真偽、正損、及びカテゴリを識別し、真券である紙葉類Ｐの枚数を計数する。なお、紙葉類処理装置１００は、通常モードで動作する場合、正券を所定枚数毎に施封し、損券を裁断し、排除券及びバッチカード５３Ｂを排除する。
【００８０】
また、紙葉類処理装置１００は、バッチカード５３Ｃを取り込んだことを認識した場合、全損モードで紙葉類を処理する。即ち、紙葉類処理装置１００は、束５５Ｃを全損モードで処理する。この場合、紙葉類処理装置１００は、束５５Ｃ内の紙葉類Ｐの真偽、正損、及びカテゴリを識別し、真券である紙葉類Ｐの枚数を計数する。
【００８１】
なお、紙葉類処理装置１００は、全損モードで動作する場合、正券及び損券を裁断し、排除券及びバッチカード５３Ｃを排除する。
【００８２】
また、紙葉類処理装置１００は、バッチカード５３Ｄを取り込んだことを認識した場合、保守モードで紙葉類を処理する。即ち、紙葉類処理装置１００は、束５５Ｄを保守モードで処理する。この場合、紙葉類処理装置１００は、束５５Ｄ内のキャリブレーションカード５６を用いて検査部１１６の各種のモジュールの各構成の動作を修正する。なお、紙葉類処理装置１００は、保守モードで動作する場合、束５５Ｄ内のバッチカード５３Ｄ及びキャリブレーションカード５６を排除する。
【００８３】
図８は、キャリブレーションカード５６の例を示す。  
キャリブレーションカード５６は、紙葉類Ｐと同一の外径寸法、あるいは、紙葉類Ｐよりも大きな外径寸法に形成され、且つ表面または裏面に種々の判定に用いる為のセキュリティが施された紙葉類である。
【００８４】
図８に示されるように、キャリブレーションカード５６は、白基準５６１、厚さ基準５６２、磁性基準５６３、蛍光基準５６４、ＲＧＢ比基準５６５、及びフォーカシングパターン５６６などのセキュリティアイテムを有する。
【００８５】
紙葉類処理装置１００の検査部１１６の各モジュールは、キャリブレーションカード５６の各セキュリティアイテムの検知結果に基づいて、種々の補正（キャリブレーション）を行う。例えば、検査部１１６の画像読取部１１７及び１１８は、キャリブレーションカード５６の白基準５６１及びＲＧＢ比基準５６５に基づいて、画像を取得する際のホワイトバランス及び明度などが適正値になるように補正する。
【００８６】
また、例えば、検査部１１６の画像読取部１１７及び１１８は、キャリブレーションカード５６のフォーカシングパターン５６６に基づいて、画像を取得する際のフォーカスを補正する。
【００８７】
また、例えば、検査部１１６の厚み検査部１１９は、キャリブレーションカード５６の厚さ基準５６２に基づいて、紙葉類Ｐの厚さを検出する際の基準を補正する。
【００８８】
また、例えば、検査部１１６の磁性検査部は、キャリブレーションカード５６の磁性基準５６３に基づいて、紙葉類Ｐから磁性を検出する際の基準を補正する。
【００８９】
また、例えば、検査部１１６の蛍光検査部は、キャリブレーションカード５６の蛍光基準５６４に基づいて、紙葉類Ｐから蛍光画像を取得する際の基準を補正する。
【００９０】
紙葉類処理装置１００は、保守モードで動作する場合、複数枚のキャリブレーションカード５６を用いて統合的に補正を行う。
【００９１】
図９は、紙葉類処理装置１００の処理の例を示す。  
操作員は、紙葉類処理装置１００を起動し、種々の設定を行う。操作員は、束５５を紙葉類処理装置１００の投入部１１２にセットし、操作表示部１３７により処理を開始させる。なお、紙葉類処理装置１００は、バッチカードで区切られた複数の束５５を連続して処理することができる。
【００９２】
処理を開始した場合、紙葉類処理装置１００は、取り込み前に紙葉類Ｐがバッチカード５３であるか否かバッチカード検知部１１１により検知する（ステップＳ１１）。取り込んだ紙葉類Ｐがバッチカード５３ではないと識別した場合、紙葉類処理装置１００は、ステップＳ１４の処理に移行する。
【００９３】
紙葉類Ｐがバッチカード５３であると識別した場合、紙葉類処理装置１００は、バッチカードの種類を識別する（ステップＳ１２）。即ち、紙葉類処理装置１００は、バッチカード５３がバッチカード５３Ａ、５３Ｂ、５３Ｃ、または５３Ｄであるかを識別する。
【００９４】
紙葉類処理装置１００は、識別したバッチカード５３の種類に基づいて処理モードを切り替える（ステップＳ１３）。即ち、紙葉類処理装置１００は、バッチカード５３がバッチカード５３Ａであると認識した場合、処理モードを全正モードに切り替える。また、紙葉類処理装置１００は、バッチカード５３がバッチカード５３Ｂであると認識した場合、処理モードを通常モードに切り替える。また、紙葉類処理装置１００は、バッチカード５３がバッチカード５３Ｃであると認識した場合、処理モードを全損モードに切り替える。また、紙葉類処理装置１００は、バッチカード５３がバッチカード５３Ｄであると認識した場合、処理モードを保守モードに切り替える。
【００９５】
紙葉類処理装置１００は、紙葉類を一枚ずつ取り込む（ステップＳ１４）。紙葉類処理装置１００は、取り込んだ紙葉類Ｐを検査部１１６に搬送する。
【００９６】
さらに、紙葉類処理装置１００は、処理モードが保守モードであるか否か判断する（ステップＳ１５）。処理モードが保守モードではないと判断した場合、紙葉類処理装置１００は、検査部１１６の各モジュールにより検査を行う（ステップＳ１６）。即ち、紙葉類処理装置１００は、検査部１１６の各モジュールにより、紙葉類Ｐの光学的特徴情報、機械的特徴、及び磁気的特長情報を検出する。
【００９７】
紙葉類処理装置１００の主制御部１５１は、検査部１１６により紙葉類Ｐから検出した特徴に基づいて、紙葉類Ｐを識別する（ステップＳ１７）。即ち、主制御部１５１は、紙葉類Ｐのカテゴリ、真偽、及び正損を判別する。また、主制御部１５１は、紙葉類Ｐが排除券であるか否か判定する。
【００９８】
なお、紙葉類処理装置１００に投入される各束５５の先頭にはバッチカード５３が重ねられている。この為、紙葉類処理装置１００は、バッチカード５３を最初に検査する。紙葉類処理装置１００は、検査部１１６の画像読取部１１７及び１１８により取得された画像に基づいて、バッチカード５３の識別情報を取得する。さらに、紙葉類処理装置１００は、バッチカード５３を排除券であると判定する。
【００９９】
紙葉類処理装置１００は、識別処理の結果に基づいて、区分処理を行う（ステップＳ１８）。なお、紙葉類処理装置１００は、排除券であると判定したバッチカード５３を排除集積部１２７に搬送する。また、紙葉類処理装置１００は、紙葉類Ｐの真偽、正損、及びカテゴリなどの識別結果に応じて紙葉類Ｐを集積庫に区分する。また、例えば、紙葉類処理装置１００は、偽券と判定された紙葉類Ｐ、厚み検査部１１９により重なりが検知された紙葉類Ｐ、または判別が不可能であった紙葉類Ｐを排除券と判定する。紙葉類処理装置１００は、排除券であると判定した紙葉類Ｐを排除集積部１２７に搬送する。
【０１００】
紙葉類処理装置１００は、後続の紙葉類Ｐの有無を判断する（ステップＳ１９）。後続の紙葉類Ｐが存在すると判断した場合、紙葉類処理装置１００は、ステップＳ１１に移行し、後続の紙葉類Ｐを処理する。即ち、紙葉類処理装置１００は、バッチカード５３の後続の紙葉類Ｐを処理することになる。
【０１０１】
また、ステップＳ１５で、処理モードが保守モードであると判断した場合、紙葉類処理装置１００は、検査部１１６の各モジュールにより紙葉類を検知する（ステップＳ２０）。なお、処理モードが保守モードである場合、紙葉類処理装置１００は、バッチカード５３Ｄまたはキャリブレーションカード５６を処理することになる。取り込んだ紙葉類がバッチカード５３Ｄである場合、紙葉類処理装置１００は、バッチカード５３Ｄを排除集積部１２７に搬送し、後続のキャリブレーションカード５６の処理に移行する。
【０１０２】
また、取り込んだ紙葉類がキャリブレーションカード５６である場合、紙葉類処理装置１００は、キャリブレーションカード５６から検知した特徴に基づいてキャリブレーションを行い（ステップＳ２１）、ステップＳ１９の処理に移行する。
【０１０３】
また、紙葉類処理装置１００は、ステップＳ１９で後続の紙葉類Ｐが存在しないと判断した場合、バッチカード５３から読み取った識別情報と、紙葉類Ｐの計数結果とを対応付け、検査結果を取得する。紙葉類処理装置１００の主制御部１５１は、計数結果をバッチカードの識別情報と対応付けて検査結果としてメモリ１５１ｂに記憶する。また、紙葉類処理装置１００は、検査結果をサーバ３００に送信する。
【０１０４】
なお、操作員は、排除券束を確認し、排除券束内の紙葉類Ｐを確認する。操作員は、排除券束内の真券の枚数を確認し、操作表示部１３７により真券の枚数を入力する。これにより、紙葉類処理装置１００は、機械的に計数した紙葉類Ｐの枚数と、操作員が確認した紙葉類Ｐの枚数との合計である計数結果を得ることができる。
【０１０５】
さらに、紙葉類処理装置１００は、入力された枚数をバッチカード５３の識別情報と対応付けてサーバ３００に送信する。これにより、サーバ３００は、機械的に計数した紙葉類Ｐの枚数と、操作員が確認した紙葉類Ｐの枚数との合計である計数結果を得ることができる。
【０１０６】
上記したように紙葉類処理装置１００は、バッチカード５３の種類を識別し、識別したバッチカード５３の種類に応じて処理モードを切り替える。これにより、紙葉類処理装置１００は、停止することなく自動的に処理モードを切り替える事ができる。この結果、より効率的に紙葉類を処理することができる紙葉類処理方法、紙葉類処理装置、及び紙葉類処理システムを提供することができる。
【０１０７】
なお、上記の実施形態では、１枚のバッチカード５３と複数枚の紙葉類Ｐとにより束５５が構成されると説明したが、この構成に限定されない。束５５は、２枚のバッチカード５３により複数枚の紙葉類Ｐが挟まれる形で構成されていてもよい。
【０１０８】
図１０は、紙葉類処理装置１００に投入される紙葉類の束５７の例を示す。束５７Ｂは、券面が黄色である２枚のバッチカード５３Ｂの間に複数枚の紙葉類Ｐが挿入された束である。なお、束５７Ｂの間には、束５７Ｄが挿入されている。束５７Ｄは、券面が青色である２枚のバッチカード５３Ｄの間に複数枚のキャリブレーションカード５６が挿入された束である。
【０１０９】
図１０に示されるような紙葉類の束が投入された場合、紙葉類処理装置１００は、まずバッチカード５３Ｂを識別し、通常モードで紙葉類Ｐを処理する。次に、紙葉類処理装置１００は、バッチカード５３Ｄを検出した場合に保守モードに処理モードを切り替える。この場合、紙葉類処理装置１００は、通常モードに切り替えてからの紙葉類Ｐの計数結果を保持する。例えば、紙葉類処理装置１００は、メモリ１５１ｂに計数結果を退避させる。
【０１１０】
紙葉類処理装置１００は、バッチカード５３Ｄの後続のキャリブレーションカード５６を用いてキャリブレーションを行う。さらに、紙葉類処理装置１００は、次にバッチカード５３Ｄを検出した場合に、処理モードを元の処理モードに戻す。即ち、紙葉類処理装置１００は、次にバッチカード５３Ｄを検出した場合に、処理モードを元の処理モードである通常モードに戻す。さらに、紙葉類処理装置１００は、メモリ１５１ｂに退避させていた計数結果を再度呼び出す。これにより、紙葉類処理装置１００は、通常モードの続きの計数を再開することができる。
【０１１１】
紙葉類処理装置１００は、次にバッチカード５３Ｂを検出した場合、計数結果をバッチカード５３Ｂの識別情報と対応付けて検査結果としてサーバ３００に出力する。
【０１１２】
このような紙葉類処理装置１００は、ある処理モードで処理を行っている途中で、他の処理モードによる処理を割り込ませることができる。この結果、より効率的に紙葉類を処理することができる紙葉類処理方法、紙葉類処理装置、及び紙葉類処理システムを提供することができる。
【０１１３】
なお、紙葉類処理装置１００は、処理モード毎に計数結果を退避させる構成であってもよい。これにより、紙葉類処理装置１００は、より複数の処理モードによる処理を割り込みさせることができる。
【０１１４】
また、バッチカード５３が他の紙葉類Ｐと二枚取りされた場合、紙葉類処理装置１００がバッチカードを検出することができない可能性がある。そこで、バッチカード検知部１１１は、バッチカード５３の表面と裏面の両方の色を検出する構成であってもよい。またさらに、紙葉類処理装置１００は、画像読取部１１７及び１１８により、バッチカード５３の表面と裏面の両方の色を検出する構成であってもよい。この場合、紙葉類処理装置１００は、画像読取部１１７及び１１８により表面と裏面とで異なる色が検出された場合、二枚取りであると判断し、処理を停止する。これにより、バッチカードが検出されずに処理モードが正しく切り替わらないということを防ぐことができる。
【０１１５】
またさらに、上記の実施形態では、紙葉類処理装置１００は、色によりバッチカード５３の種類を識別する構成であると説明したが、この構成に限定されない。紙葉類処理装置１００は、バッチカード５３の形状、穿孔、または他の構造的な特徴に基づいてバッチカード５３の種類を識別する構成であってもよい。
【０１１６】
図１１は、他のバッチカード５３の他の例を示す。図１１は、穿孔５３３の数により種類を紙葉類処理装置１００に識別させるバッチカード５３の例を示す。
【０１１７】
図１１に示されるように、バッチカード５３は、例えば、穿孔５３３が無いバッチカード５３Ｅ、穿孔５３３が１つであるバッチカード５３Ｆ、穿孔５３３が２つであるバッチカード５３Ｇ、及び穿孔５３３が３つであるバッチカード５３Ｈなどの複数の種類がある。また、各バッチカード５３は、識別情報がコード化されたバーコード５３１、及び識別情報を示す文字列５３２などの印刷を有する。
【０１１８】
紙葉類処理装置１００は、バッチカード検知部１１１によりバッチカードの種類を識別することができる。この場合、バッチカード検知部１１１は、バッチカード５３に施された穿孔５３３の数を検出することができる構成を備える。即ち、バッチカード検知部１１１は、バッチカード５３の穿孔５３３の数を検出することにより、取り込まれたバッチカード５３が、バッチカード５３Ｅ、５３Ｆ、５３Ｇ、または５３Ｈであるかを認識することができる。
【０１１９】
例えば、紙葉類処理装置１００は、取り込んだバッチカード５３に穿孔５３３が無い場合、バッチカード５３Ｅを取り込んだことを認識する。また、紙葉類処理装置１００は、取り込んだバッチカード５３の穿孔５３３の数が１つである場合、バッチカード５３Ｆを取り込んだことを認識する。紙葉類処理装置１００は、取り込んだバッチカード５３の穿孔５３３の数が２つである場合、バッチカード５３Ｇを取り込んだことを認識する。紙葉類処理装置１００は、取り込んだバッチカード５３の穿孔５３３の数が３つである場合、バッチカード５３Ｈを取り込んだことを認識する。
【０１２０】
例えば、紙葉類処理装置１００は、バッチカード５３Ｅを取り込んだことを認識した場合、全正モードで紙葉類を処理する。また、紙葉類処理装置１００は、バッチカード５３Ｆを取り込んだことを認識した場合、通常モードで紙葉類を処理する。また、紙葉類処理装置１００は、バッチカード５３Ｇを取り込んだことを認識した場合、全損モードで紙葉類を処理する。また、紙葉類処理装置１００は、バッチカード５３Ｈを取り込んだことを認識した場合、保守モードで紙葉類を処理する。
【０１２１】
このような構成によっても、より効率的に紙葉類を処理することができる紙葉類処理方法、紙葉類処理装置、及び紙葉類処理システムを提供することができる。
【０１２２】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１２３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
なお、以下に本願の出願当初の特許請求の範囲を付記する。
［Ｃ１］
複数の処理モードを有する紙葉類処理装置の紙葉類処理方法であって、
識別情報を有するバッチカードと、被検査媒体とが重ねられた紙葉類の束から紙葉類を１枚ずつ取り込み、
取り込まれた前記紙葉類を搬送し、
前記バッチカードの種類を識別し、
識別された前記バッチカードの種類に基づいて前記紙葉類処理装置の処理モードを切り替え、
前記バッチカードの後続の前記紙葉類を識別及び計数し、
前記紙葉類の計数の結果を前記識別情報に対応付けて記憶し、
前記紙葉類の識別の結果に基づいて、前記紙葉類を集積庫に区分する、
紙葉類処理方法。
［Ｃ２］
識別された前記バッチカードの種類に基づいて前記紙葉類処理装置の処理モードを保守モードに切り替え、
前記バッチカードの後続の修正用カードを用いて、前記紙葉類の識別処理を修正する、
Ｃ１に記載の紙葉類処理方法。
［Ｃ３］
前記紙葉類処理装置の処理モードを保守モードに切り替える場合、切り替え前の処理モードでの計数結果を保存し、
識別された前記バッチカードの種類に基づいて前記紙葉類処理装置の処理モードを保守モードから切り替え前の処理モードに戻し、保存した前記計数結果を読み出し、前記紙葉類の識別及び計数を再開する、
Ｃ２に記載の紙葉類処理方法。
［Ｃ４］
前記バッチカードの色を検出し、前記バッチカードの色に基づいて前記バッチカードの種類を識別するＣ１に記載の紙葉類処理方法。
［Ｃ５］
前記バッチカードの穿孔の数を検出し、前記バッチカードの穿孔の数に基づいて前記バッチカードの種類を識別するＣ１に記載の紙葉類処理方法。
［Ｃ６］
複数の処理モードを有する紙葉類処理装置であって、
識別情報を有するバッチカードと、被検査媒体とが重ねられた紙葉類の束から紙葉類を１枚ずつ取り込む取り込み部と、
取り込まれた前記紙葉類を搬送する搬送部と、
前記バッチカードの種類を識別するバッチカード識別部と、
識別された前記バッチカードの種類に基づいて前記紙葉類処理装置の処理モードを切り替える処理モード切替部と、
前記バッチカードの後続の前記紙葉類を識別及び計数する紙葉類識別部と、
前記紙葉類の計数の結果を前記識別情報に対応付けて記憶する記憶部と、
前記紙葉類の識別の結果に基づいて、前記紙葉類を集積庫に区分する区分処理部と、
を具備する紙葉類処理装置。
［Ｃ７］
複数の処理モードを有する紙葉類処理装置と前記紙葉類処理装置による計数結果を記憶するサーバとを備える紙葉類処理システムであって、
前記紙葉類処理装置は、
識別情報を有するバッチカードと、被検査媒体とが重ねられた紙葉類の束から紙葉類を１枚ずつ取り込む取り込み部と、
取り込まれた前記紙葉類を搬送する搬送部と、
前記バッチカードの種類を識別するバッチカード識別部と、
識別された前記バッチカードの種類に基づいて前記紙葉類処理装置の処理モードを切り替える処理モード切替部と、
前記バッチカードの後続の前記紙葉類を識別及び計数する紙葉類識別部と、
前記紙葉類の計数の結果を前記識別情報に対応付けて検査結果として前記サーバに送信する送信部と、
前記紙葉類の識別の結果に基づいて、前記紙葉類を集積庫に区分する区分処理部と、
を具備し、
前記サーバは、
前記紙葉類処理装置から送信された前記検査結果を受信する受信部と、
前記検査結果を記憶する記憶部と、
を具備する紙葉類処理システム。
【符号の説明】
【０１２４】
１…紙葉類処理システム、５３…バッチカード、５４…デポジットカード、５５…束、１００…紙葉類処理装置、１１２…投入部、１１３…取出部、１１４…吸着ローラ、１１５…搬送路、１１６…検査部、１１７…画像読取装置、１１８…画像読取装置、１１９…厚み検査部、１２０…ゲート、１２５…ゲート、１２６…排除搬送路、１２７…排除集積部、１３２…集積・結束部、１３３…裁断部、１３４…スタッカ、１３６…操作部、１３７…操作表示部、１４０…キーボード、１５１…主制御部、１５１ａ…メモリ、１５１ｂ…メモリ、１５２…搬送制御部、１５６…裁断制御部、２００…再検査装置、３００…サーバ、３１０…制御部、３１１…ＣＰＵ、３１２…ＲＯＭ、３１３…ＲＡＭ、３２０…通信部、３３０…ストレージ。
【図１】
0006334749.tif 000002
【図２】
0006334749.tif 000003
【図３】
0006334749.tif 000004
【図４】
0006334749.tif 000005
【図５】
0006334749.tif 000006
【図６】
0006334749.tif 000007
【図７】
0006334749.tif 000008
【図８】
0006334749.tif 000009
【図９】
0006334749.tif 000010
【図１０】
0006334749.tif 000011
【図１１】
0006334749.tif 000012